(57)【要約】【課題】ダイバシティアンテナシステムを搭載した携帯型TV受信機器において、据置として利用する場合は、ダイバシティアンテナの効果が薄れ、これに関連する回路による電力消費が無駄となっていた。【解決手段】底面に設置されたスイッチ１２の状態をマイコン１３が判断して、電源制御部１１がダイバシティアンテナ３の制御を行うことにより、据置時に省電力化の効果が得られる。【選択図】図１
2005223577.tif 000002
【特許請求の範囲】
【請求項１】
少なくとも２つのアンテナから構成されるダイバシティアンテナと、前記ダイバシティアンテナを制御するダイバシティアンテナ制御部と、機器の底面に設けられたスイッチと、前記スイッチの状態を判定するマイコンと、前記マイコンの判定結果により前記ダイバシティアンテナ制御部の電源を制御する電源制御部とからなるテレビ受信装置。
【請求項２】
少なくとも２つのアンテナから構成されるダイバシティアンテナと、前記ダイバシティアンテナを制御するダイバシティアンテナ制御部と、少なくとも１つのジャイロセンサーと、前記ジャイロセンサーの状態を判定するマイコンと、前記マイコンの判定結果により前記ダイバシティアンテナ制御部の電源を制御する電源制御部とからなるテレビ受信装置。
【請求項３】
少なくとも２つのアンテナから構成されるダイバシティアンテナと、前記ダイバシティアンテナを制御するダイバシティアンテナ制御部と、テレビ表示部と、スイッチと、前記スイッチの状態を判定すると共に前記テレビ表示部のバックライトを制御するマイコンと、前記マイコンの判定結果により前記ダイバシティアンテナ制御部の電源を制御する電源制御部とからなるテレビ受信装置。
【請求項４】
少なくとも２つのアンテナから構成されるダイバシティアンテナと、前記ダイバシティアンテナを制御するダイバシティアンテナ制御部と、テレビ表示部と、少なくとも１つのジャイロセンサーと、前記ジャイロセンサーの状態を判定すると共に前記テレビ表示部のバックライトを制御するマイコンと、前記マイコンの判定結果により前記ダイバシティアンテナ制御部の電源を制御する電源制御部とからなるテレビ受信装置。
【請求項５】
ジャイロセンサーが水平方向と垂直方向の振動について検出できるよう設置された請求項２または４に記載のテレビ受信装置。
【発明の詳細な説明】
【技術分野】
【０００１】
本発明は、ダイバシティアンテナを用いた携帯型テレビ受信装置に関するものである。
【背景技術】
【０００２】
従来のダイバシティ受信装置としては、特許文献１に開示されている。そのダイバシティ受信装置のブロック図を図７に示す。図７に示すような、伸縮などにより設定状態を変えて使用することができるアンテナ６１と、設定状態が変わらないアンテナ６２とアンテナのいずれかを選択して受信機本体６４に接続する選択スイッチ６３と、アンテナ６１の設定状態を検出する検出器６７と、アンテナ６１の設定状態によって選択スイッチ６３の動作の制御を行うスイッチ制御部６５と、アンテナ６１の設定状態によってアンテナ６１への電力供給を制御する電源制御部６６とを有する切り替え式のダイバシティにおいて、データ受信の開始前のブランチ決定の際にアンテナ６１が収納状態である場合にはアンテナ６１に選択スイッチ６３を切り替えることなくアンテナ６２を選択するとともに、消費電力の軽減のためにアンテナ６１への電力供給を停止するものである。
【特許文献１】特開平０９−３１２６０１号公報
【発明の開示】
【発明が解決しようとする課題】
【０００３】
しかしながら、従来のアンテナの状態を検出する方式であれば、アンテナが固定の場合に利用できない。また、ダイバシティアンテナ回路を搭載した携帯型テレビ受信装置において、据置として利用する場合は、ダイバシティアンテナの効果が薄れ、これに関連する回路による電力消費が無駄となっていた。
【課題を解決するための手段】
【０００４】
上記課題を解決するために、本発明のテレビ受信装置は、少なくとも２つのアンテナから構成されるダイバシティアンテナと、前記ダイバシティアンテナを制御するダイバシティアンテナ制御部と、機器の底面に設けられたスイッチと、前記スイッチの状態を判定するマイコンと、前記マイコンの判定結果により前記ダイバシティアンテナ制御部の電源を制御する電源制御部とからなる。
【０００５】
または、少なくとも２つのアンテナから構成されるダイバシティアンテナと、前記ダイバシティアンテナを制御するダイバシティアンテナ制御部と、少なくとも１つのジャイロセンサーと、前記ジャイロセンサーの状態を判定するマイコンと、前記マイコンの判定結果により前記ダイバシティアンテナ制御部の電源を制御する電源制御部とからなる。
【０００６】
または、少なくとも２つのアンテナから構成されるダイバシティアンテナと、前記ダイバシティアンテナを制御するダイバシティアンテナ制御部と、テレビ表示部と、スイッチと、前記スイッチの状態を判定すると共に前記テレビ表示部のバックライトを制御するマイコンと、前記マイコンの判定結果により前記ダイバシティアンテナ制御部の電源を制御する電源制御部とからなる。
【０００７】
または、少なくとも２つのアンテナから構成されるダイバシティアンテナと、前記ダイバシティアンテナを制御するダイバシティアンテナ制御部と、テレビ表示部と、少なくとも１つのジャイロセンサーと、前記ジャイロセンサーの状態を判定すると共に前記テレビ表示部のバックライトを制御するマイコンと、前記マイコンの判定結果により前記ダイバシティアンテナ制御部の電源を制御する電源制御部とからなる。
【発明の効果】
【０００８】
装置が据置として利用される場合には、アンテナを受信が良好なほうに固定し受信するとともに、ダイバシティアンテナに関する回路の電源を遮断することで、良好な受信を保ちながら、省電力化の効果を得ることができる。
【発明を実施するための最良の形態】
【０００９】
以下、本発明の実施の形態について図面を参照しながら説明する。
【００１０】
（実施の形態１）
図１は、本発明の第１の実施の形態を示すブロック図を示し、図１において１は第１のアンテナ、２は第２のアンテナ、３は第１のアンテナ１と第２のアンテナ２が接続されるダイバシティアンテナ制御部、４はダイバシティアンテナ制御部３が検波したＲＦ信号を復調するＲＦ復調部、５はＲＦ復調部４が復調した信号からトランスストリーム信号を解析するＴＳ解析部、６はＴＳ解析部５が解析した信号をデコードし音声信号と映像信号を出力するデコード部、７はデコード部６が出力する音声信号を音声ドライブ信号に変換する出力する音声出力部、８は音声出力部７が出力する音声ドライブ信号を再生するスピーカ、９はデコード部６が出力する映像信号を表示する表示信号に変換する表示出力部、１０は表示出力部９が出力する表示信号を表示する表示部、１１は外部からの制御によりダイバシティアンテナ制御部３の電源制御を行う電源制御部、１２は機器の底面に設置されたスイッチ、１３はスイッチ１２の状態を判定するとともにＲＦ復調部４とＴＳ解析部５とデコード部６と電源制御部１１の制御を行うマイコン、１４はマイコン１３とＲＦ復調部４とＴＳ解析部５とデコード部６と電源制御部１１が接続されるデータバスである。
【００１１】
以上のように構成されたテレビ受信装置について図面を用いて説明する。まず、ダイバシティアンテナ制御部３の動作について説明する。図２はダイバシティアンテナ制御部３の構成を示すブロック図である。図２において、２１は第１の検波回路、２２は第２の検波回路、２３は第１の検波回路２１と第２の検波回路２２の検波レベルを検出する検波レベル検出回路、２４は検波レベル検出回路２３の検出結果により第１の検波回路２１の出力かまたは第２の検波回路２２の出力のいずれかを出力するスイッチ、２５は第１の検波回路２１と第２の検波回路２２と検波レベル検出回路２３が外部と制御信号を送受信する制御信号入出力端、２６はスイッチの出力が出力される検波信号出力端である。
【００１２】
まず、第１の検波回路２１は第１のアンテナ１が受信した電波を検波し、第２の検波回路２２は第２のアンテナ２が受信した電波を検波する。そして、それぞれの検波回路が検波した信号を検波レベル検波レベル検出回路が検出し、検波状態が良好な方の信号を検出し、スイッチ２４に切り替え信号を送る。そして、スイッチ２４はより良好に検波された信号を選択し、検波信号出力端２６から出力する。
【００１３】
さらに、第１の検波回路２１と第２の検波回路２２と検波レベル検出回路の電源は制御信号入出力端２５から入力される制御信号によりオンまたはオフすることができ、検波レベル検出回路２３は検波レベルの検出結果を制御信号入出力端２５から出力することができる。
【００１４】
なお、図２においては、アンテナが２つの場合について説明したが、３つ以上ある場合でも同様の動作により同様の作用をもつダイバシティアンテナ制御部を構成することができる。
【００１５】
次に、ＲＦ復調部４の動作について説明する。ＲＦ復調部４は、ダイバシティアンテナ制御部３が出力する検波信号を復調する動作を行う。
【００１６】
次に、ＴＳ解析部５の動作について説明する。ＴＳ解析部５は、ＲＦ復調部４が復調した信号からトランスストリーム信号を解析する。
【００１７】
次に、デコード部６の動作について説明する。デコード部６は、ＴＳ解析部５が解析した信号をデコードし、音声信号と映像信号を出力する。
【００１８】
次に、音声出力部７の動作について説明する。音声出力部７は、デコード部６が出力する音声信号を音声ドライブ信号に変換し、スピーカ８から音声を出力させる。
【００１９】
次に、表示出力部９と表示部１０の動作について説明する。表示出力部９はデコード部６が出力する映像信号を表示信号に変換する。そして、表示部１０が映像の表示を行う。
【００２０】
次に、電源制御部１１の動作について図面を用いて説明する。図３は電源制御部１１の構成を示すブロック図である。図３において、３１はバス信号入出力端、３２はバス信号入出力端３１から入出力されるバス信号を送受信するバスＩＦ回路、３３はバスＩＦ回路３２が出力する信号により電源制御を行う電源制御回路、３４は電源制御回路３３が制御する信号と検波レベルの検出結果とが入出力する制御信号入出力端である。
【００２１】
まず、バスＩＦ回路３２はバス信号入出力端３１を介してマイコン１３と情報の送受信を行う。マイコン１３がスイッチ１２の状態を判断し、スイッチ１２が押されている状態ならば、機器が据え置かれていると判断し、その情報をバスＩＦ回路３２に送信する。そして、その情報が電源制御回路３３に入力されると、電源制御回路は、制御信号入出力端３４から制御信号を出力する。制御信号入出力端３４は、図２における制御信号入出力端２５と接続されている。そして、その制御信号によりダイバシティアンテナ制御部３において、検波レベル検出回路２３がいずれの検波回路の方が良好な検波を得られるか判断し、その情報を制御信号入出力端２５から出力し、電源制御回路３３はこの情報に基づいて、良好な検波が得られない検波回路と検波レベル検出回路２３の電源を遮断する。
【００２２】
このような動作により、スイッチ１２の状態に応じてダイバシティアンテナ制御部３において省電力化の動作が実行される。
【００２３】
（実施の形態２）
図４は、本発明の第２の実施の形態を示すブロック図を示し、図２において１から１３までは図１における構成要素とまったく同様の動作をする。４１はジャイロセンサーであり、振動によりその情報をマイコン１３に送信する。ジャイロセンサー４１で振動が検出されない場合、機器が据え置かれたと判断して、実施の形態１で説明したような動作によりダイバシティアンテナ制御部３において省電力化の動作が実行される。
【００２４】
なお、図４においてはジャイロセンサー４１は１つの場合を示したが、２つ以上の場合でも同様の作用が実現できる。また、複数のジャイロセンサーを搭載し、水平方向と垂直方向の振動を検出するようにすると、より精度の高い判定が得られる効果が生じる。
【００２５】
（実施の形態３）
図５は、本発明の第３の実施の形態を示すブロック図を示し、図５において１から１２までは図１における構成要素とまったく同様の動作をする。５１はマイコンであり、５２は表示部である。表示部５２は液晶パネルとバックライトから構成され、ダイバシティアンテナ制御部３に対し省電力動作をさせるとき、バックライトの照明を下げて省電力化をより実現させる。この制御はマイコン５１が行う。
【００２６】
（実施の形態４）
図６は、本発明の第４の実施の形態を示すブロック図を示し、図６において１から１１までは図１における構成要素とまったく同様であり、ジャイロセンサー４１は図４における構成要素とまったく同様であり、マイコン５１と表示部５２は図５における構成要素とまったく同様である。
【００２７】
動作は実施の形態２と３に準じ、ジャイロセンサー４１の状態により機器が据え置かれたと判断され、ダイバシティアンテナ制御部３に対し省電力動作をさせるとき、表示部５２におけるバックライトの照明を下げて省電力化をより実現させる。
【００２８】
なお、図４の場合と同様、ジャイロセンサー４１は１つの場合を示したが、２つ以上の場合でも同様の作用が実現できる。また、複数のジャイロセンサーを搭載し、水平方向と垂直方向の振動を検出するようにすると、より精度の高い判定が得られる効果が生じる。
【産業上の利用可能性】
【００２９】
本発明のテレビ受信装置は、ダイバシティアンテナを搭載した携帯型テレビ受信装置において、省電力動作をさせる場合に有用である。
【図面の簡単な説明】
【００３０】
【図１】本発明の第１の実施の形態を示すブロック図
【図２】ダイバシティアンテナ制御部の構成を示すブロック図
【図３】電源制御部の構成を示すブロック図
【図４】本発明の第２の実施の形態を示すブロック図
【図５】本発明の第３の実施の形態を示すブロック図
【図６】本発明の第４の実施の形態を示すブロック図
【図７】従来のダイバシティ受信装置を示すブロック図
【符号の説明】
【００３１】
１    第１のアンテナ
２    第２のアンテナ
３    ダイバシティアンテナ制御部
４    ＲＦ復調部
５    ＴＳ解析部
６    デコード部
７    音声出力部
８    スピーカ
９    表示出力部
１０    表示部
１１    電源制御部
１２    スイッチ
１３    マイコン
１４    データバス
【図１】
2005223577.tif 000003
【図２】
2005223577.tif 000004
【図３】
2005223577.tif 000005
【図４】
2005223577.tif 000006
【図５】
2005223577.tif 000007
【図６】
2005223577.tif 000008
【図７】
2005223577.tif 000009